(57)【要約】【課題】  従来の光コネクタは、アダプタを隙間なく並べて配置した場合、プラグを引き抜きにくくなり、無理にプラグを引き抜いて近隣のコネクタに接続障害を発生させるおそれもある。【解決手段】  本件出願の光コネクタは、光ファイバが取付けられたプラグをアダプタの差込口に脱着可能な光コネクタにおいて、アダプタの差込口に差込まれたプラグを差込口から押出すプラグ押出し機構が前記アダプタ内に設けられ、プラグ押出し機構を操作する操作具がアダプタの外側に突出して設けられ、操作具はアダプタの内側に押込み可能であり、押込みが解放されるとアダプタの外側に突出するように復帰可能であり、操作具の押込みによりプラグ押出し機構がアダプタの差込口に差込まれているプラグを内側から外側に押してプラグを差込口から押出すようにしたものである。操作具はアダプタの差込口の左右いずれかの側面又は上下いずれかの面に設けることができる。【選択図】図１
2008058698.tif 000002
【特許請求の範囲】
【請求項１】
光ファイバが取付けられたプラグをアダプタの差込口に脱着可能な光コネクタにおいて、アダプタの差込口に差込まれたプラグを差込口から押出すプラグ押出し機構が前記アダプタ内に設けられ、前記プラグ押出し機構を操作する操作具がアダプタの外側に突出して設けられ、操作具はアダプタの内側に押込み可能であり、押込みが解放されるとアダプタの外側に突出するように復帰可能であり、操作具の押込みにより前記プラグ押出し機構がアダプタの差込口に差込まれているプラグを内側から外側に押してプラグを差込口から押出すことを特徴とする光コネクタ。
【請求項２】
請求項１記載の光コネクタにおいて、操作具がアダプタの差込口の左右いずれかの側面又は上下いずれかの面に設けられたことを特徴とする光コネクタ。
【発明の詳細な説明】
【技術分野】
【０００１】
本発明は光ファイバの軸線方向端面同士を突き合わせて接続するのに使用される光コネクタであって、光ファイバが取付けられたプラグをアダプタの差込口に押込んで装着する型式（ＳＣ型）のものに関する。
【背景技術】
【０００２】
ＳＣ型光コネクタは図６に示すように光ファイバＡが挿入されたフェルールＥが内装されたプラグＢを、アダプタＣの差込口Ｄからその内側に押込んで装着していた。装着したプラグＢをアダプタＣから取外す場合はプラグＢを指先で摘んで外側に引いてアダプタＣの差込口Ｄから引き抜いていた。アダプタＣの内部にはツメ（図示しない）が形成されており、アダプタＣ内に装着されたプラグＢがそれに係止して抜け難くなるようにしてある。ＳＣ型光コネクタは図６に示すようにアダプタＣを左右（横）に多数本並べて配置したり、上下（縦）に隙間なく並べて配置されて使用されることが多い。
【発明の開示】
【発明が解決しようとする課題】
【０００３】
図７に示すようにアダプタＣを隙間なく横に並べて配置した場合、隣接するプラグＢの周囲に指を差し込むスペースがないためプラグＢを指先で摘みにくくなり、プラグＢを引き抜きにくくなる。無理にプラグＢを引き抜くと引き抜いた勢いで近隣の光コネクタをも同時に抜いてしまうことがあり、不測の接続障害が発生することがある。これら課題はアダプタＣを隙間なく縦に並べて配置した場合も同様である。
【課題を解決するための手段】
【０００４】
本発明の目的は、多数本のコネクタを横方向或いは縦方向に隙間なく並べて配置しても、所望のプラグを無理なく容易に取外すことができ、近隣のコネクタを同時に抜いてしまうようなことの無い光コネクタを提供することにある。
【０００５】
本件出願の光コネクタは、光ファイバが取付けられたプラグをアダプタの差込口に脱着可能な光コネクタにおいて、アダプタの差込口に差込まれたプラグを差込口から押出すプラグ押出し機構が前記アダプタ内に設けられ、前記プラグ押出し機構を操作する操作具がアダプタの外側に突出して設けられ、操作具はアダプタの内側に押込み可能であり、押込みが解放されるとアダプタの外側に突出するように復帰可能であり、操作具の押込みにより前記プラグ押出し機構がアダプタの差込口に差込まれているプラグを内側から外側に押してプラグを差込口から押出すようにしたものである。前記プラグ押操作具はアダプタの差込口の左右いずれかの側面又は上下いずれかの面に設けることができる。
【発明の効果】
【０００６】
本件出願の光コネクタは次のような効果がある。
（１）アダプタの外側に突出して設けた操作具を押込むことにより、アダプタ内のプラグ押出し機構により、アダプタの差込口に差し込まれているプラグを差込口から外側に押出すことができるため、多数のアダプタが隙間なく横や縦に並べてある場合であっても、それらアダプタに差し込まれているプラグを容易に取外すことができる。
（２）操作具がアダプタの差込口の左右いずれかの側面又は上下いずれかの面に設けてあるため、プラグ取外し時にプラグを無理に引き抜く必要がない。このため、アダプタが横や縦に多数並べてある場合であってもプラグを取外し易く、取外したいプラグだけを確実に取外すことができ、近隣のコネクタを同時に抜いてしまうようなことも無い。
【発明を実施するための最良の形態】
【０００７】
（実施形態１）
本発明の光コネクタの実施形態の一例を、図１〜図３に基づいて説明する。図１に示す光コネクタは光ファイバ１が取付けられているプラグ（雄コネクタ）２をアダプタ（雌コネクタ）３の差込口４に脱着可能な方式の光コネクタ（ＳＣ型光コネクタ）である。
【０００８】
前記プラグ２はアダプタ３の差込口４に押込み可能な形状に成形されたプラグ本体５の前方からフェルール６の端部が突出している。図１の前記フェルール６には光ファイバ１の先端部が挿入固定されている。プラグ本体５の側面にはアダプタ３への押込みをガイドするためのガイド突起７が形成されている。
【０００９】
前記アダプタ３は図１、図２（ａ〜ｃ）、図３（ａ、ｂ）に示すように、前面と背面に差込口４が同一軸上に開口され、前面の差込口４の下方の収容部１１内にプラグ押出し機構１２（図３、ａ、ｂ）が収容され、そのプラグ押出し機構１２を操作する操作具１３が収容部１１の外側に突出して設けられている。図１に示すようにアダプタ３の上面及び下面にはアダプタ３を電子機器とか他部材に固定するための止め孔２３を備えた止片１４が形成されている。アダプタ３の差込口４の側面には、前記プラグ２のガイド突起７をガイドするスリット１５が形成されている。
【００１０】
差込口４は既存のアダプタと同様に、角型のプラグ２を押込み可能な角穴にしてあり、差込口４内には図２（ｂ）に示すようにプラグ２の先端に突出しているフェルール６の先端を差込み可能な差込孔１６が設けられ、その上には差し込んだプラグ２を係止して抜けにくくする抜け防止片１７が設けられている。
【００１１】
収容部１１は前面の差込口４の下方に形成された空間であって、図３（ａ）のようにプラグ押出し機構１２を収容可能な広さにしてある。
【００１２】
プラグ押出し機構１２は図３（ａ、ｂ）に示すようにアダプタ３の外側に突出している操作具１３を押すことによって、差込口４に差し込まれているプラグ２の先端面１８を内側から外に押出し可能なものであり、軸１９を中心に回転する駆動アーム２０と、軸２１を中心に回転する押出しアーム２２とでクランク形に形成されている。駆動アーム２０と押出しアーム２２は先端部２０ｂ、２２ｂが反対方向に略Ｌ字型に曲げられている。
【００１３】
プラグ押出し機構１２は図１、図３（ａ、ｂ）に示すようにアダプタ３の下面に突出している操作具１３の突出部をアダプタ３の内側に押込むと駆動アーム２０の後端部２０ａが押されて駆動アーム２０の先端側が軸１９を回転軸として図３（ａ）の右下方向に回転し、その先端側で押出しアーム２２の後端部２２ａが同方向に押されると押出しアーム２２が軸２１を回転軸として同方向に回転し、押出しアーム２２の先端部２２ｂが反対側に回転して、プラグ２の先端面１８を押してプラグ２をアダプタ３の差込口４の外側に押し出すことができるようにしてある。
【００１４】
操作具１３は図４のように多数のアダプタ３を左右（横方向）に並べて配置したり、上下（縦方向）に積層して配置したりしたときに、アダプタ３の外側から押すことができる位置（アダプタ３の下面側）に突設しておくのがよく、アダプタ３の左右又は上下のいずれの面に突出させることもできる。操作具１３は押込みが解放されると外側に突出して自動復帰可能な構造にしてある。
【００１５】
（プラグ押出し機構の他の実施形態）
本発明の光コネクタにおけるプラグ押出し機構は他の構造、機構のものであってもよい。その一例として図５に示すものは、アダプタ３内に配置したチューブ状のガイド３０内にフレキシブルなバネ状の駆動具３１を設け、その一端側に操作具１３を、先端側に押し具３２を連結して、操作具１３を押すと駆動具３１が押されて押し具３２が押され、押し具３２でプラグ２の先端面１８をアダプタ３の差込口４の外側に押し出すようにしたものである。駆動具３１にはバネ状のもの以外のものを使用することもでき、例えばピアノ線のようにフレキシブルで且つ強靭な線材を単線で使用したり数本束にして使用したりすることができる。
【００１６】
プラグ押出し機構はチューブ状の密閉式のガイド３０内に液体を充填しておき、操作具１３を押すと液体がガイド３０内を始動して、ガイド３０内の先端側に設けられている押し具３２でプラグ２の先端面をアダプタ３の差込口４の外側に押し出すようにしたものでもよい。
【００１７】
本発明のプラグ押出し機構は操作具をアダプタの外部から操作してアダプタの差込口に差し込まれているプラグを内側から外側に押出し可能であれば、前記実施形態以外の構造、機構のもとすることができる。前記操作具も押込み式のものではなく、アダプタの内側に往復スライド可能なものとか、他の構造、機構のものとすることができる。
【産業上の利用可能性】
【００１８】
本発明の光コネクタは、図１〜図５に示す型（ＳＣ型光コネクタ）のものには限られず、プラグをアダプタに押込んで装着し、引き抜いて離脱する形式のものであれば他の形式の光コネクタにも応用することができる。
【図面の簡単な説明】
【００１９】
【図１】本発明の光コネクタの実施形態の一例を示す斜視図。
【図２】（ａ）〜（ｃ）は、本発明の光コネクタのアダプタを示す説明図。（ａ）は正面図。（ｂ）は左側面図。（ｃ）は底面図。
【図３】（ａ）（ｂ）は本発明の光コネクタのアダプタの内部構成を示す説明図。（ａ）はプラグを装着した様子を示す正面図。（ｂ）はプラグを装着していない様子を示す左側面図。
【図４】本発明の光コネクタを左右に多数本隙間なく並べて配置した様子を示す斜視説明図。
【図５】本発明の光コネクタのプラグ押出し機構の他の実施形態を示す説明図。
【図６】従来の光コネクタを示す斜視説明図。
【図７】従来の光コネクタを左右に多数本隙間なく並べて配置した様子を示す斜視説明図。
【符号の説明】
【００２０】
１  光ファイバ
２  プラグ
３  アダプタ
４  差込口
５  プラグ本体
６  フェルール
７  ガイド突起
１１  収容部
１２  プラグ押出し機構
１３  操作具
１４  止片
１５  スリット
１６  差込孔
１７  抜け防止片
１８  プラグ先端面
１９  軸
２０  駆動アーム
２１  軸
２２  押出しアーム
２３  止め孔
３０  ガイド
３１  駆動具
３２  押し具
【図１】
2008058698.tif 000003
【図２】
2008058698.tif 000004
【図３】
2008058698.tif 000005
【図４】
2008058698.tif 000006
【図５】
2008058698.tif 000007
【図６】
2008058698.tif 000008
【図７】
2008058698.tif 000009